(57)【要約】【課題】  本発明は、ネットワーク上の複数の記録再生装置のいずれに対してもAV信号を入出力させることができる記録再生装置コントロールシステムを提供することを目的とする。【解決手段】  本発明の記録再生装置コントロールシステムは、記録再生装置を複数有し、第2の記録再生装置からの制御信号を第1の記録再生装置に送信するとともに、制御信号に基づいて第1の記録再生装置のAV信号入力端子から入力された前記映像信号若しくは音声信号を、AV出力端子を介して第2の記録再生装置にスルー出力させるか否かを制御することを特徴とする。【選択図】  図１
2006172648.tif 000002
【特許請求の範囲】
【請求項１】
映像信号若しくは音声信号を入力するAV信号入力端子と、前記映像信号若しくは音声信号を出力するAV信号出力端子と、他の装置の動作状態を示す制御信号を入力及び出力する制御端子とを有する記録再生装置を複数有し、
複数の前記記録再生装置のうち、第1の記録再生装置に第2の記録再生装置を接続するとともに、前記第2の記録再生装置からの前記制御信号を前記第1の記録再生装置に送信するとともに、前記制御信号に基づいて前記第1の記録再生装置の前記AV信号入力端子から入力された前記映像信号若しくは音声信号を、前記AV出力端子を介して前記第2の記録再生装置にスルー出力させるか否かを制御することを特徴とする記録再生装置コントロールシステム。
【請求項２】
前記第1の記録再生装置と前記第2の記録再生装置は、前記AV信号入力端子及び前記AV信号出力端子の接続と、前記制御信号をネットワークでやり取りするネットワーク接続とで互いに接続されていることを特徴とする請求項１記載の記録再生装置コントロールシステム。
【請求項３】
映像信号若しくは音声信号を入力するAV信号入力端子と、前記映像信号若しくは音声信号を出力するAV信号出力端子と、他の装置の動作状態を示す制御信号をネットワークを介して入力及び出力する制御端子と、
他の装置からの前記制御信号に基づいて、前記AV信号入力端子からの前記映像信号若しくは音声信号を前記AV信号出力端子を介してスルー出力させるか否かを制御する制御部と
を備えたことを特徴とする記録再生装置。
【発明の詳細な説明】
【技術分野】
【０００１】
本発明は、映像信号を記録，再生可能な記録再生装置及び該装置を複数接続しこれをコントロールする記録再生装置コントロールシステムに関する。
【背景技術】
【０００２】
AV信号と制御信号を出力及び入力するAV信号端子と制御端子を有するAV機器を複数有し、該複数のAV機器のうち任意のAV機器の制御端子からの制御信号に基づき、接続すべき被AV機器を選択し、選択された被AV機器へAV信号と制御信号とを出力するAV機器コントロールシステムが知られている。
【特許文献１】特開平6-215542号公報
【発明の開示】
【発明が解決しようとする課題】
【０００３】
しかしながら、従来の装置においては、AV信号と制御信号を対で備えた複数の機器における接続で出力側の機器に対して制御を行なうものであるが、入力側の機器に対しては制御ができないという問題点があった。
【０００４】
本発明は、ネットワーク上の複数の記録再生装置のいずれに対してもAV信号を入出力させることができる記録再生装置コントロールシステム及び記録再生装置を提供することを目的とする。
【課題を解決するための手段】
【０００５】
上記目的を達成するために、本発明の記録再生装置コントロールシステムは、映像信号若しくは音声信号を入力するAV信号入力端子と、前記映像信号若しくは音声信号を出力するAV信号出力端子と、他の装置の動作状態を示す制御信号を入力及び出力する制御端子とを有する記録再生装置を複数有し、
複数の前記記録再生装置のうち、第1の記録再生装置に第2の記録再生装置を接続するとともに、前記第2の記録再生装置からの前記制御信号を前記第1の記録再生装置に送信するとともに、前記制御信号に基づいて前記第1の記録再生装置の前記AV信号入力端子から入力された前記映像信号若しくは音声信号を、前記AV出力端子を介して前記第2の記録再生装置にスルー出力させるか否かを制御することを特徴とする。
【０００６】
そして、他の装置の動作状態を示す制御信号に基づいて特定の記録再生装置から映像信号若しくは音声信号をスルー出力させるか否か制御できるので、接続されているいずれの記録再生装置でも映像信号若しくは音声信号の入出力が可能となる。
【０００７】
また、前記第1の記録再生装置と前記第2の記録再生装置は、前記AV信号入力端子及び前記AV信号出力端子の接続と、前記制御信号をネットワークでやり取りするネットワーク接続とで互いに接続されていることを特徴とする。
【０００８】
また、映像信号若しくは音声信号を入力するAV信号入力端子と、前記映像信号若しくは音声信号を出力するAV信号出力端子と、他の装置の動作状態を示す制御信号をネットワークを介して入力及び出力する制御端子と、
他の装置からの前記制御信号に基づいて、前記AV信号入力端子からの前記映像信号若しくは音声信号を前記AV信号出力端子を介してスルー出力させるか否かを制御する制御部とを備えたことを特徴とする。
【発明の効果】
【０００９】
本発明によれば、ネットワーク上の複数の記録再生装置のいずれを選択しても、選択された記録再生装置にAV信号を入出力させることが可能となる。
【発明を実施するための最良の形態】
【００１０】
以下、図面を参照してこの発明の実施形態の一例である記録再生装置コントロールシステムを詳細に説明する。図１は、本発明の一実施の形態による記録再生装置コントロールシステムを示す概略構成図，図２は、複数の装置によるネットワークシステムを示すネットワーク図，図３は、スルー動作処理を示すフローチャートである。また、本発明では、映像・音声信号を例として説明するが、特にこれに限定されず、映像のみ、音声のみ、或いは映像／音声以外の他の信号だけでも良い。
【００１１】
図１は、本発明の一実施形態における記録再生装置の概略構成図である。図１において、記録再生装置R1は、映像・音声信号を供給するTVチューナ13と、外部からの映像・音声信号(例えば、図２の外部チューナ30からの信号)を受けるAV入力端子11，12と、TVチューナ13とAV入力信号を切り換えるセレクタ14と、映像・音声信号の記録再生部15を有している。なお、記録再生部15としては、VTR，DVD-RAM/RW，HDDを利用した記録再生装置等で実現できる。更に、記録再生部15からの映像・音声信号を記録時と再生時で切換える記録/再生スイッチスイッチ20と、AV入力端子12からのAV信号をスルーさせるセレクタ21を有しており、AV出力端子22から出力された再生映像は、TVモニタ（図２の40）に供給されて再生音声はスピーカ（図示せず）等に供給される。記録再生装置R1の各部は、装置全体の動作を制御する制御部16により制御バス23を介して接続されており、記録再生部15に対する、映像・音声信号の記録再生処理を行うものである。又、主に制御信号の応答がユーザインターフェース部17を介して行われる。
【００１２】
さらに、接続端子19を備えており、ここに外部のネットワークが接続可能である。接続端子19からの制御信号は、ネットワークインターフェース18を介して制御部16に送信される。制御部16は、後述するように該制御信号によりセレクタ21を制御することにより、AV入力端子12からの映像・音声信号のAV出力端子22からのスルー出力を実現できる。
【００１３】
なお、他の記録再生装置R2，R3も同じ構成である。
【００１４】
図２は、複数の装置によるネットワークシステムを示すネットワーク図である。複数の記録再生装置R1，R2，R3に対して、映像・音声信号は外部チューナ30からトップの記録再生装置R1のAV入力端子12に供給され、エンドの記録再生装置R3のAV出力端子22からTVモニタ40に供給される。なお、記録再生装置R1は、ネットワークに接続されるネットワークインターフェース18を備えており、図２に示すように例えば一般家庭の中の有線（又は無線）ネットワークとして設置されるものに接続される。このとき、ネットワークには他の記録再生装置R2，R3が接続されており、本発明の特徴であるAV信号をスルーさせるか否かの制御信号が送受信される。
【００１５】
図３は、本発明に係る外部チューナ30からのAV信号のスルー動作処理を説明するフローチャートで、記録再生装置R1を使用している場合の動作について説明する。図３において、まず、記録再生装置R1の電源投入時に、記録再生装置R1がネットワークに接続されているか判断し（ステップS101）、ネットワークに接続されていなければ処理を終了する。ネットワークに接続されていれば、ネット上の他の記録再生装置の動作状態からの制御信号を実行する（ステップS102）。他の装置の動作状態とは、動作しているか否かの状態で、動作とは、再生，記録を行っているかをチェックする。もし、記録再生装置R1に、他の記録再生装置R2またはR3から動作している旨の制御信号がない場合は、セレクタ２１のスルー入力を非選択を実行する（ステップS106）。これにより外部チューナ30からのAV信号は記録再生装置R1をスルーすることなく、記録再生装置R1で記録，再生ができる。なお、この時、他の記録再生装置R2，R3は、ステップS102でYes，ステップS103でNoとなることでスルー動作を行い(記録再生装置R1が動作中のため)、これにより、外部チューナ30のAV信号を記録再生装置R1を介してTVモニタ40に出力することもできる。
【００１６】
また、再生開始の制御信号(記録再生装置R2若しくは/及び記録再生装置R3が動作中であることを示す制御信号)がネットワークを介して得られた場合は、ネットワーク上の他の記録再生装置R2またはR3にスルー入力の録画中のものがないか判断する（ステップS103）。録画中の記録再生装置R2またはR3がない場合は、セレクタ21のスルー入力を選択する（ステップS105）。しかし、録画中の装置がある場合は録画を優先し、スルー入力選択は不受理となり、その旨を表示等でユーザに知らせる（ステップS104）とともに、セレクタ21はスルー入力の非選択を実行する（ステップS106）。これは、記録再生装置R2若しくはR3が録画中に記録再生装置R1のセレクタ21を操作することにより、録画に影響を与えることを避けるためである。
【００１７】
なお、図示しないが、記録再生装置の電源が切れている時または待機状態において、セレクタ21はスルー入力が選択される構成とすることができる。
【図面の簡単な説明】
【００１８】
【図１】本発明の一実施の形態による記録再生装置コントロールシステムを示す概略構成図。
【図２】同実施の形態にかかわる記録再生装置コントロールシステムにおける複数の記録再生によるネットワークシステムを示すネットワーク図。
【図３】同実施の形態にかかわる記録再生装置コントロールシステムのスルー動作処理を示すフローチャート。
【符号の説明】
【００１９】
11，12  AV入力端子
13  TVチューナ
14，21  セレクタ
15  記録再生部
16  制御部
17  ユーザインターフェース
18  ネットワークインターフェース
19  制御端子
20  記録/再生スイッチ
22  AV出力端子
23  制御バス
R1，R2，R3  記録再生装置
【図１】
2006172648.tif 000003
【図２】
2006172648.tif 000004
【図３】
2006172648.tif 000005